(57)【要約】【課題】本発明は池や沼の水面上に水草が極端に茂っていても、あるいは浅瀬があっても問題なく推進が可能で、効率的に水面に浮かんでいる水草を収集可能な水草処理装置を提供するものである。【解決手段】本発明は以上のような課題を解決するため、円筒状で外周に螺旋７，８を有するフロート１，２を一対設け、フロート１，２をエンジンによって回転駆動するようにし、一対のフロート１，２の間に採取した水草を本体上にかき上げるコンベア１０を設けた。【選択図】  図１
2005226441.tif 000002
【特許請求の範囲】
【請求項１】
円筒状で外周に螺旋を有するフロートを一対設け、エンジンを設けるとともに前記フロートを前記エンジンによって回転駆動するようにし、前記一対のフロートの間に採取した水草をかき上げるコンベアを設けた水草処理装置。
【請求項２】
先端に水草をコンベアに集める水草収集螺旋を設けた請求項１記載の水草処理装置。
【請求項３】
両側に跳ね上げ自在のフロート体を設けた請求項１記載の水草処理装置。
【請求項４】
フロート体の先に水草収集装置を設けた請求項３記載の水草処理装置。
【請求項５】
水草収集装置は一対の水草収集螺旋と、水草のかき上爪よりなる請求項４記載の水草処理装置。
【請求項６】
コンベアに水草を引っ掛ける爪を設けた請求項１記載の水草処理装置。
【請求項７】
コンベアから送られた水草を粉砕しながら、他の装置へ送る搬出コンベアを設けた請求項１記載の水草処理装置。
【発明の詳細な説明】
【技術分野】
【０００１】
本発明は、螺旋状の浮力体を用いた水草処理装置に関するもので、特に水草の多量に茂った池や河川の水面で水草処理の可能なものを提供するものである。
【背景技術】
【０００２】
ホテイアオイやウキクサなどの水草は水中の過剰な窒素を吸収したり、水の浄化作用があるため、池や沼などに入れることによって水質を維持することが近年行われている。
【０００３】
しかしこのような水草は生育条件が整うと急激に繁殖する場合があり、適宜取り除く必要がある。またこのような水草を処理する場合に発酵させることによって良質の堆肥とすることができる。さらに嫌気菌による発酵をさせることによってメタンガスを発生させることができ、発生したメタンガスを燃料として用いることもできる。
【０００４】
現在一般に行われている水草の処理方法としては、大型重機であるユンボのアームの長いものを用い、陸地からアームを伸ばして池の水面に浮かぶ水草をかき集める方法が取られている。
【０００５】
このような手段であると、池の傍まで重機を運搬することが困難であったり、場合によっては重機を池の傍まで持って来るために一時的な道路を建設する場合もあった。さらに大型重機の運搬には大型トレーラが必要であり、場合によっては重機を公道上に通すために公安委員会から許可を得る必要があった。
【０００６】
このような状況から、水草処理装置は池や沼の上に浮かべ、水上に浮遊する水草を集めるようにしたものである。このような水草処理装置として例えば特許文献１に開示されたものがある。
【特許文献１】特許第２５８３５３５号
【０００７】
また刈取った水草を船上で切断処理することによって処理を容易にしたものとして特許文献２に記載のものがある。
【特許文献２】特開２００１−３８２３６号公報
【発明の開示】
【発明が解決しようとする課題】
【０００８】
特許文献１に開示されたものは双胴船で、胴の間に設けたコンベアで水草を船上にかき揚げることによって水上に浮遊する水草を処理するものである。これによって採取した水草の処理を容易にしたものである。
【０００９】
しかし特許文献１に記載のものは水草が極端に茂った場合、スクリューに水草が絡みつくという問題があった。
【００１０】
また文献２に記載のものは、刈取った水草を船上で切断処理することによって処理を容易にしたものであるが、浮き草を効率的に収集する技術について開示がなく、浮き草を効率的に回収する手段がないという問題がある。
【００１１】
外周に螺旋を有する円筒体を回転させて推進力を得る乗り物として、特開平８−１６９３８８号公報に記載のような雪上車がある。このような物と推進の原理は共通するのであるが、本件発明のものは単に推進手段として螺旋を有する円筒体を設けているのではなく、円筒体の回転によって浮き草をコンベアへ集める作用も有する。
【００１２】
以上のとおり本発明は水草が極端に茂っていても問題なく使用することができ、収集した水草の処理が容易な水草処理装置を提供しようとするものである。
【課題を解決するための手段】
【００１３】
本件発明は以上のような課題を解決するため、円筒状で外周に螺旋を有するフロートを一対設け、エンジンを設けフロートをエンジンによって回転駆動するようにし、一対のフロートの間に採取した水草を本体上にかき上げるコンベアを設けた。
【発明の効果】
【００１４】
本発明の水草処理装置は上記の如く構成したので、水上の推進に際してインペラなどの草の絡み付く手段がなく、水草が極端に茂っていても問題なく使用することができ、さらに浅瀬であっても螺旋を有するフロートが浅瀬に乗り上げて推進力を発揮することができる。
【００１５】
またフロートの推進動作に伴って、フロートの前に位置する水草がフロート側に吸い寄せられるので、一対のフロート間に設置したコンベアに効果的に水草が乗る。
【００１６】
また一対のフロートの前に水草集合ロータを設けることによって、さらに水草の収集能力が向上し、短時間のうちに効果的に水草を収集可能な水草処理装置を提供することができる。
【発明を実施するための最良の形態】
【００１７】
本発明の請求項１に記載の発明は、円筒状で外周に螺旋を有するフロートを一対設け、エンジンを設けるとともに前記フロートを前記エンジンによって回転駆動するようにし、一対のフロートの間に採取した水草をかき上げるコンベアを設けたものであり、一対のフロートの回転によって集められた水草をコンベア上に掻き揚げることができるという作用を有する。
【実施例１】
【００１８】
以下本発明の水草処理装置の実施例１について図１〜図４に沿って詳細に説明する。１、２はフロートであり、アルミニウム、ステンレス、鉄などの金属筒あるいはガラス繊維強化プラスチックよりなるもので、その両端を円錐状の端部部材３〜６によって塞いでいる。内部は空洞でも、あるいはウレタンやスチロールなどの発泡樹脂を充填してもよい。
【００１９】
またフロート１，２の外周にはそれぞれ螺旋部７，８が設けられている。そして螺旋部７，８は互いに逆向きの螺旋になっている。フロート１，２は本体９の両側に設けられ、本体９下部の機械室内に設置されたエンジンによって駆動され回転する。またフロート１，２は上部が水面から上に出た状態となる浮力を有する。
【００２０】
このフロート１，２の回転方向としてフロート１，２の後から見て右側フロート１の回転方向を左回転とし、左側フロート２の回転方向を右回転とする。するとフロート１，２の上部が水面より出ているため、フロート１，２の回転に伴って水面上の水草がフロート１，２の間に集まる。
【００２１】
１０は大チェーンコンベアであり先端が水中に入るように構成されている。またこの大チェーンコンベアの両側には上方に向かって狭くなる通路を形成するガイド１１，１２が設置されている。
【００２２】
１３は小チェーンコンベアであり、大チェーンコンベア１０の上端から落ちた水草を受けるように設置されている。またこの小チェーンコンベア１３は本体９の後方へ延び、小チェーンコンベア１３の先端から水草が落ちる。この水草処理装置とは別の運搬船をこの水草処理装置のすぐ後ろに付けていると、小チェーンコンベア１３の先端から落ちた水草は、その運搬船の上に落ちる。また大チェーンコンベア１０と小チェーンコンベア１３は共に本体９より支柱によって支えられている。この支柱は折り畳めるようにすると、水草処理装置を搬送する場合に便利である。
【００２３】
以上のように本発明の実施例１は構成され、フロート１，２を互いに反対方向に回転させると、螺旋部７，８は推進力を発揮する。前方向に推進する方向にフロート１，２を回転させる。同時に大チェーンコンベア１０及び小チェーンコンベア１３が作動する。
【００２４】
すると、水上に浮かんだ水草は大チェーンコンベア１０にすくい上げられ、大チェーンコンベアの上方へ移動する。この時、ガイド１１，１２によって大チェーンコンベア１０上の水草は大チェーンコンベア１０の中央部分に集められる。
【００２５】
そして大チェーンコンベア１０の上端から落ち、小チェーンコンベア１３上に落ちる。この時、水草は大チェーンコンベア１０の中央部分に集められているために、小チェーンコンベア１３上に確実に落ちる。
【００２６】
小チェーンコンベア１３上に落ちた水草は、小チェーンコンベア１３によって後方へ運ばれる。この水草処理装置とは別の運搬船をこの水草処理装置のすぐ後ろに付けていると、小チェーンコンベア１３の先端から落ちた水草は、その運搬船の上に落ちる。
【００２７】
次に、本発明の水草処理装置の実施例２について図５〜図８に沿って説明する。この実施例２のものは、上記の水草処理装置の実施例１のものに水草の収集能力を高めるための改良を施したものである。実施例１と実施例２と共通した構成部材については同じ番号を付与して冗長性を避けるため重複説明を省略する。
【００２８】
この実施例のものは上記実施例１のものに対し、さらに水草の収集能力を高めるために一対の水草収集螺旋１４、１５を設け、水草のかき上げ能力を高めるためにかき上爪１６を設け、さらに水上での安定のために一対のフロート体１７、１８を設けたものである。
【００２９】
一対のフロート体１７、１８は本体９の両側にそれぞれ回動自在に設けられている。そしてこのフロート体１７、１８は油圧シリンダーで跳ね上げたり、本体９の上面と平行になるように下げられたりする。
【００３０】
フロート体１７，１８の下面には発泡スチロールなどより作られたそれぞれ２つのフロート１９、２０が取り付けられている。
【００３１】
一対の水草収集螺旋１４、１５はそれぞれフロート体１７，１８の先端に取り付けられ、油圧モータで回転する。そして、水草収集螺旋１４、１５はそれぞれフロート体１７，１８に取り付けられているため、フロート体１７，１８の跳ね上げによって水草収集螺旋１４、１５もはね上げられる。
【００３２】
本発明の実施例２のものは以上のような構成であり、以下その使用方法を説明する。先ず本体９両側のフロート体１７，１８は図８に示すように上に跳ね上げておく。すると全体の幅が小さくなるため、広い保管の場所を必要とせず、さらに一般的な４ｔトラックの荷台に積載可能になる。このため、農道を通って溜池などに運搬が可能である。
【００３３】
また図９は本発明の実施例３を示す部分拡大正面図である。この例は、図６の鎖線円で囲まれたＡ部の拡大図であり、螺旋部７，８の先端に切欠２１が設けられている。これによって、螺旋部７，８が池の斜面の滑り易い部分、例えば竹や木の倒れたものに乗り上げた場合であっても、螺旋部７，８による推進力が確保される。
【００３４】
図１０は本発明の実施例４を示す部分拡大正面図であり、図６のＡ部の拡大図である。この例は、上記実施例３の切欠２１に代えて連続的な鋸歯状部２２が形成されている。この例の方が上記実施例３よりも竹や木への乗り上げ能力が高くなる。
【００３５】
図１１は本発明の実施例５を示す部分拡大斜視図である。この例は、大チェーンコンベア１０あるいは小チェーンコンベア１３の両方、あるいは何れか一方のチェーンコンベアにステンレスワイヤをねじりばね状に形成して、掻き揚げ爪２３を形成したものである。これによって、水草を掻き揚げる能力が増強される。
【００３６】
図１２は本発明の実施例６を示す部分拡大斜視図である。この例は、大チェーンコンベア１０あるいは小チェーンコンベア１３の両方、あるいは何れか一方のチェーンコンベアに合成樹脂あるいはステンレス板で、掻き揚げ爪２４を形成したものである。これによって、上記実施例５と同様に水草を掻き揚げる能力が増強される。
【００３７】
上記の図１１、図１２ではコンベアとしてチェーンコンベアを示したが、図１５に示すようなネットコンベアでもよい。さらに上記の図１１、図１２で示した掻き揚げ爪２３及び掻き揚げ爪２４は約９０度回転するようにコンベアに取り付けられ、重力によって上に上がる場合にはコンベアから突き出た状態となる。このため、水草を掻き揚げる能力が高くなる。
【００３８】
図１３は本発明の実施例７を示す部分拡大斜視図である。この例のものは、フロート１，２の外周にそれぞれ設けられた螺旋部７，８の断面がＴ字状に形成されている。つまり螺旋部７，８の先端に地面と水平に接する受部２５が形成されている。
【００３９】
このため水中で螺旋部７，８が推進力を発揮する場合に、水が螺旋部７，８から逃げ難く、強い推進力を発揮することができる。また柔らかい土の上では螺旋部７，８が埋まり難く螺旋７，８の回転の抵抗が大きくなることがない。さらに、コンクリートの上などを走行する場合にコンクリートを傷つけることが少なく、特に三面コンクリートのように傷付き易い物に対して有効である。
【００４０】
図１４は本発明の実施例８を示す部分拡大斜視図である。この実施例８のものは、上記の実施例７のものの、受部２５に切欠き２６を設けたものである。この切欠き２６は受部２５の部分のみでもよいし、螺旋部７，８にまでかかってもよい。
【００４１】
この実施例８のものは、上記の実施例３及び実施例４の説明と同様、切欠き２６の作用によって滑り易い竹や葦の上を走行するときにも、切欠き２６が引っかかり、推進力を得ることができ、円滑に進むことができる。
【００４２】
以上の各実施例では乗員が本願発明の水草処理装置に乗って操作を行うことを想定して説明を行ったのであるが、無線操縦によって操作を行うようにすることも可能である。この場合、池の土手の傾斜が急峻で水草処理装置の走行に危険があるような場合であっても、乗員が乗っていないため安全の確保を保つことが可能である。
【００４３】
以上の各実施例で本願発明の水草処理装置は水上に浮かんだ水草をコンベアでかき上げる例を説明したが、先端に刈払機を取り付けると葦などの湖底から生えているものを処理することができる。また本体上部に設置したコンベアを取り除くと運搬船として用いることができ、さらに本発明のものは不整地でも推進することが可能であるので、本体上に建設機械を積載することで工事現場に仮設道路を作ることなく、機材の運搬や現場での工事を行うことができる。
【００４４】
図１６は本発明の実施例１０を示す側面図である。この実施例１０のものは、以上説明の実施例１〜実施例８のものに加えて、大チェーンコンベア１０によって送られて来る水草を粉砕する粉砕部２７と送出コンベア２８を設けたものである。
【００４５】
つまり粉砕部２７はクローラ状の圧搾チェーンコンベア２９、圧搾チェーンコンベア２９の片方を支持する支持ローラ３０、圧搾チェーンコンベア２９の先端を支持する横切ローラ３１を有している。この粉砕部２７によって掻き揚げられた水草が縦横に切断される。
【００４６】
また粉砕部２７は搬出コンベア３２を有している。この搬出コンベア３２は一端が小チェーンコンベア１３の下に入り、小チェーンコンベア１３によって運ばれ、圧搾された水草が搬送される。小チェーンコンベア１３と搬出コンベア３２の間には水草が落ちないように逆送防止板３３が設けられている。
【００４７】
横切ローラ３５に対抗する位置には横切受ローラ３４がある。横切受ローラ３４はクローラ状の圧搾チェーンコンベア２９へ搬出コンベア３２を押し付けるものである。これによって、搬出コンベア３２上の水草はクローラ状の圧搾チェーンコンベア２９と搬出コンベア３２の間に挟まり、横切りされる。
【００４８】
３５は縦切ローラであり、円盤状の刃が所定間隔で多数並べられている。そして搬出コンベア３２の先端に位置する縦切受ローラ３６とともに、搬出コンベア３２上を送られてくる水草を縦切する。つまり水草は横切ローラ３１及び横切受ローラ３４によって横切され、縦切ローラ３５及び縦切受ローラ３６によって縦切されるので、縦横に切断され細かくなって搬出コンベア３２の先端から外に搬出される。この時、水草などは圧搾されているため、水分が減る。よって排出されるものは重量、容積とも減少する。
【００４９】
搬出コンベア３２の先端の下にコンテナなど、切断された水草を受けるものを設置することができる。
【産業上の利用可能性】
【００５０】
本発明は、池や沼の水面上に水草が極端に茂っていても、あるいは浅瀬があっても問題なく推進が可能で、効率的に水面に浮かんでいる水草など効果的に収集可能で、刈取装置を着脱自在に取り付けることによって水中の水草をも収集可能な水草処理装置を提供する。
【図面の簡単な説明】
【００５１】
【図１】本発明の水草処理装置の実施例１を示す斜視図である。
【図２】本発明の水草処理装置の実施例１を示す側面図である。
【図３】本発明の水草処理装置の実施例１を示す正面図である。
【図４】本発明の水草処理装置の実施例１を示す上面図である。
【図５】本発明の水草処理装置の実施例２を示す上面図である。
【図６】本発明の水草処理装置の実施例２を示す正面図である。
【図７】本発明の水草処理装置の実施例２を示す側面図である。
【図８】本発明の水草処理装置の実施例２の跳ね上げ状態を示す正面図である。
【図９】本発明の水草処理装置の実施例３を示す部分拡大正面図である。
【図１０】本発明の水草処理装置の実施例４を示す部分拡大正面図である。
【図１１】本発明の実施例５を示す部分拡大斜視図である。
【図１２】本発明の実施例６を示す部分拡大斜視図である。
【図１３】本発明の実施例7を示す部分拡大斜視図である。
【図１４】本発明の実施例８を示す部分拡大斜視図である。
【図１５】本発明に用いるネットコンベアを示す拡大斜視図である。
【図１６】本発明の実施例１０を示す側面図である。
【符号の説明】
【００５２】
１、２  フロート
３、４、５、６  端部部材
7、８ 螺旋部
９  本体
１０  大チェーンコンベア
１１、１２  ガイド
１３  小チェーンコンベア
１４，１５  水草収集螺旋
１６、２３、２４  掻き揚爪
１７、１８  フロート体
１９、２０  フロート
２１  切欠
２２  鋸歯状部
２５  受部
２６  切欠き
２７  粉砕部
２９  圧搾チェーンコンベア
３０  支持ローラ
３１  横切ローラ
３２  搬出コンベア
３３  逆送防止板
３４  横切受ローラ
３５  縦切ローラ
３６  縦切受ローラ
【図１】
2005226441.tif 000003
【図２】
2005226441.tif 000004
【図３】
2005226441.tif 000005
【図４】
2005226441.tif 000006
【図５】
2005226441.tif 000007
【図６】
2005226441.tif 000008
【図７】
2005226441.tif 000009
【図８】
2005226441.tif 000010
【図９】
2005226441.tif 000011
【図１０】
2005226441.tif 000012
【図１１】
2005226441.tif 000013
【図１２】
2005226441.tif 000014
【図１３】
2005226441.tif 000015
【図１４】
2005226441.tif 000016
【図１５】
2005226441.tif 000017
【図１６】
2005226441.tif 000018